(57)【要約】【課題】ログインユーザが作業を中断して別のユーザに画像形成装置の操作を譲ってからまた作業を再開する場合に最初から作業をやり直さなければならない。【解決手段】ジョブの開始が指示され、かつ、ログインユーザではない他のユーザが検知された場合に、ジョブを実行するか、ジョブを保留するかを選択画面上でログインユーザに選択させる。ジョブの実行が選択された場合にはジョブを実行し、ジョブの保留が選択された場合にジョブを保留し、ログインユーザをログアウトさせる。【選択図】図３Ａ
2019126918.tif 000002
【特許請求の範囲】
【請求項１】
ログインユーザからの入力を受け付ける入力手段と、
ジョブを実行するためのジョブ実行手段と、
制御手段とを有する画像形成装置であって、
前記制御手段は、
前記入力手段によりジョブの開始が指示され、かつ、前記ログインユーザではない他のユーザが検知された場合に、前記ジョブを実行するか、前記ジョブを保留するかを前記ログインユーザに選択させ、
前記入力手段により前記ジョブの実行が選択された場合には前記ジョブを実行し、前記ジョブの保留が選択された場合には前記ジョブを前記ログインユーザと関連付けて保存し、前記ログインユーザをログアウトさせる
ことを特徴とする画像形成装置。
【請求項２】
請求項１に記載の画像形成装置であって、
前記他のユーザを検知する検知手段をさらに有することを特徴とする画像形成装置。
【請求項３】
請求項１に記載の画像形成装置であって、
通信手段をさらに有し、
前記他のユーザは外部装置によって検知され、前記通信手段によりその検知の結果を受信することを特徴とする画像形成装置。
【請求項４】
請求項１乃至３のいずれか一項に記載の画像形成装置であって、
表示手段をさらに有し、
前記制御手段はさらに、前記ジョブを実行するか、前記ジョブを保留するかを前記ログインユーザに選択させるための第１の選択画面を前記表示手段により表示させることを特徴とする画像形成装置。
【請求項５】
請求項１乃至４のいずれか一項に記載の画像形成装置であって、
前記制御手段は、
前記入力手段により前記ジョブの開始が指示される前に前記他のユーザが検知された場合には、前記ジョブを実行するか、前記ジョブを保留するかに加えてさらに、ログアウトが指示されまで操作を続行するか、直ちにログアウトするかを前記ログインユーザに選択させ、
前記入力手段により、ログアウトが指示されまで操作を続行することが選択された場合には前記ログインユーザの操作に応じてジョブを実行し、直ちにログアウトすることが選択された場合には直ちにログアウトする
ことを特徴とする画像形成装置。
【請求項６】
請求項４を引用する請求項５に記載の画像形成装置であって、
前記制御手段はさらに、
ログアウトが指示されまで操作を続行するか、直ちにログアウトするか、前記ジョブの開始の指示がされた場合にログアウトするか、を前記ログインユーザに選択させるための第２の選択画面を前記表示手段により表示させ、
前記ジョブの開始の指示がされた場合にログアウトすることが選択されると、前記第１の選択画面を前記表示手段に表示させる
ことを特徴とする画像形成装置。
【請求項７】
請求項４を引用する請求項５に記載の画像形成装置であって、
前記制御手段はさらに、前記第１の選択画面に、直ちにログアウトするか、前記ジョブの開始の指示がされた場合にログアウトするか、を前記ログインユーザに選択させるための選択肢を加えて前記表示手段により表示させる
ことを特徴とする画像形成装置。
【請求項８】
請求項１乃至７のいずれか一項に記載の画像形成装置であって、
前記制御手段はさらに、前記入力手段により前記ジョブの保留が選択された場合にはさらに、前記ジョブに、保留できない工程が含まれているか判定し、含まれていない場合には前記ジョブを保留し、前記ログインユーザをログアウトさせ、含まれている場合には、保留できない工程までを一つのジョブとして実行し、残りの工程を一つのジョブとして前記ログインユーザと関連付けて保存し、前記ログインユーザをログアウトさせる
ことを特徴とする画像形成装置。
【請求項９】
請求項１乃至７のいずれか一項に記載の画像形成装置であって、
前記制御手段はさらに、前記入力手段により前記ジョブの保留が選択された場合にはさらに、前記ジョブに、保留できない工程が含まれているか判定し、含まれていない場合には前記ジョブを前記ログインユーザと関連付けて保存し、前記ログインユーザをログアウトさせ、含まれている場合には前記ジョブを実行する
ことを特徴とする画像形成装置。
【請求項１０】
請求項６に記載の画像形成装置であって、
シート積載部をさらに有し、
前記制御手段は、まず前記ログインユーザではない他のユーザが検知されたか判定し、検知されている場合であっても、中断が困難なジョブであると判定した場合には、前記第２の選択画面を表示することなく、前記第１の選択画面を前記表示手段に表示させる
ことを特徴とする画像形成装置。
【請求項１１】
請求項１０に記載の画像形成装置であって、
シート積載部をさらに有し、
前記制御手段は、前記ログインユーザではない他のユーザが検知された場合に、ジョブの設定作業中であるか、または手差しトレイまたはスキャナの原稿台にシートが載置されていることを検知した場合に、当該ジョブを中断が困難なジョブであると判定する
ことを特徴とする画像形成装置。
【請求項１２】
請求項１乃至１１のいずれか一項に記載の画像形成装置としてコンピュータを機能させるためのプログラム。
【請求項１３】
ログインユーザからの入力を受け付ける入力手段と、ジョブを実行するためのジョブ実行手段と、制御手段とを有する画像形成装置において、
前記制御手段が、
前記入力手段によりジョブの開始が指示され、かつ、前記ログインユーザではない他のユーザが検知された場合に、前記ジョブを実行するか、前記ジョブを保留するかを前記ログインユーザに選択させ、
前記入力手段により前記ジョブの実行が選択された場合には前記ジョブを実行し、前記ジョブの保留が選択された場合に前記ジョブを保留し、前記ログインユーザをログアウトさせる
ことを特徴とする画像形成装置の制御方法。
【発明の詳細な説明】
【技術分野】
【０００１】
本発明は画像形成装置に関し、特に複数のユーザが利用する画像形成装置とその制御方法、およびプログラムに関する。
【背景技術】
【０００２】
ユーザがログイン（認証）して利用できる画像形成装置が知られている。ログインしているユーザが画像形成装置を利用して作業を行っている際に別のユーザが画像形成装置を利用したい場合、ログインしていたユーザが一旦ログアウト（認証解除）したところに別のユーザがログインして利用するのが一般的である。このとき、別のユーザを検知すると画像形成装置の表示部にその旨を表示してログインしているユーザに気付かせ、別のユーザに譲る、または譲らないための複数の選択肢が提示される画像形成装置が提案されている（特許文献１）。
【先行技術文献】
【特許文献】
【０００３】
【特許文献１】特許第５７７３０５２号
【発明の概要】
【発明が解決しようとする課題】
【０００４】
しかしながら、従来技術では、ログインしていたユーザが作業を中断して別のユーザに画像形成装置の操作を譲ってからまた作業を再開する場合に、最初から作業をやり直さなければならなかった。また、作業を中断することなく画像形成装置の機能を利用するボタンを押した際には、機能を遂行するための処理（ジョブ）を発行してその実行を開始し、ログアウトしていた。そのため別のユーザに譲った場合でも、実行が開始されたジョブに時間がかかる場合、結局別のユーザが速やかに画像形成装置の機能を利用することが出来なかった。すなわち、画像形成装置の利用を譲るにしろ譲らないにしろ、いずれかのユーザの生産性の低下が避けられなかった。
【０００５】
本発明は上述した問題を解決するためになされたものであり、ユーザが画像形成装置の利用の順序を他のユーザに譲ることに起因する生産性の低下を防止または改善することを目的とする。
【課題を解決するための手段】
【０００６】
上記目的を達成するために本発明は以下の構成を有する。すなわち本発明の一側面によれば、本発明は、ログインユーザからの入力を受け付ける入力手段と、
ジョブを実行するためのジョブ実行手段と、
制御手段とを有する画像形成装置であって、
前記制御手段は、
前記入力手段によりジョブの開始が指示され、かつ、前記ログインユーザではない他のユーザが検知された場合に、前記ジョブを実行するか、前記ジョブを保留するかを前記ログインユーザに選択させ、
前記入力手段により前記ジョブの実行が選択された場合には前記ジョブを実行し、前記ジョブの保留が選択された場合には前記ジョブを前記ログインユーザと関連付けて保存し、前記ログインユーザをログアウトさせる
ことを特徴とする。
【発明の効果】
【０００７】
以上の構成からなる本発明によれば、ユーザが画像形成装置の利用の順序を他のユーザに譲ることに起因する生産性の低下を防止または改善することができる。
【図面の簡単な説明】
【０００８】
【図１】ハードウェア構成を示すブロック図である。
【図２】機能構成を示すブロック図である。
【図３Ａ】処理の流れの一例を示すフローチャートである。
【図３Ｂ】処理の流れの一例を示すフローチャートである。
【図４】選択画面の一例を示す図である。
【図５Ａ】処理の流れの一例を示すフローチャートである。
【図５Ｂ】処理の流れの一例を示すフローチャートである。
【図６】処理の流れの一例を示すフローチャートである。
【図７】処理の流れの一例を示すフローチャートである。
【図８】処理の流れの一例を示すフローチャートである。
【図９】機能構成を示すブロック図である。
【図１０】処理の流れの一例を示すフローチャートである。
【図１１】保留したジョブを再開する処理の流れの一例を示すフローチャートである。
【発明を実施するための形態】
【０００９】
以下、本発明を実施するための形態について図面を用いて説明する。なお、以下の実施形態において示す構成は一例に過ぎず、本発明は図示された構成に限定されるものではない。
【００１０】
＜実施形態１＞
●ハードウェア構成
図１は、本実施形態の画像形成装置１００のハードウェア構成の一例を示す図である。ＣＰＵ（中央処理装置）１０１は、マイクロプロセッサ等で構成され、ＲＯＭ１０２やＲＡＭ１０３に格納されたプログラムを実行して画像形成装置１００全体を制御する。ＲＯＭ（読み出し専用メモリ）１０２は、プログラム等を格納する。ＲＡＭ（ランダムアクセスメモリ）１０３は、実行中のプログラムを記憶すると共に実行中のプログラムに用いられるデータ等を一時的に記憶する。補助記憶装置１０６は、プログラムやデータ等を記憶する。補助記憶装置１０６はハードディスクやＳＳＤ（ソリッドステートドライブ）やＵＳＢ（ユニバーサルシリアルバス）メモリやＳＤカード等から構成される。出力部１０４は、ディスプレイ等で構成され、情報を出力する。入力部１０５は、キーボード、マウス、ボタン、タッチディスプレイ、等で構成され、情報を入力したり、受信したりする。ネットワークＩ／Ｆ１０７は、外部装置と接続する通信部または接続部である。
【００１１】
制御部１０８は、プリンタ１１０やスキャナ１１１等を制御する。センサ１０９は、カメラや人感センサ等を含む、例えば所定位置にいる人を検知するセンサである。これによって画像形成装置１００付近に居る人を検知する。検知対象の人は、画像形成装置１００の現在の操作者を除く人である。もちろんセンサ１０９によって操作者を含めた人を検知し、その後の情報処理により操作者を除いてもよい。また画像形成装置は、スキャン対象の原稿を積載するシート積載部や、挿入シートを載置するためのシート積載部を有してもよい。
【００１２】
●機能構成
図２（ａ）は、本実施形態の画像形成装置１００の機能構成の一例を示す図である。図１の画像形成装置１００は、図２（ａ）の画像形成装置２００に相当する。画像形成装置２００は、入力イベント機能２０１と、ユーザ検知機能２０２と、画面出力機能２０３と、ユーザ認証機能２０４と、ジョブ管理機能２０５と、ジョブ開始機能２０６との機能群から構成される。画像形成装置２００の機能は、ＣＰＵ１０１がＲＯＭ１０２等から読み出したプログラムを実行することにより実現される。
【００１３】
入力イベント機能２０１は、入力部１０５からの入力を検知し、どのような入力があったかを他の機能部へと伝える。
【００１４】
ユーザ検知機能２０２は、センサ１０９を利用して画像形成装置２００を利用するつもりのユーザが居るかを検知する。画像形成装置２００付近に人が居るかだけでなく、画像形成装置２００からの距離や、検知された人の顔や足の向きを判定の基準としてもよい。たとえば、センサ１０９がカメラであれば、撮影した画像上で顔認識を実行し、画像形成装置２００を向いていると判定した場合に、そのユーザは画像形成装置２００を利用している、または利用しようとしていると判定してよい。なお利用しているユーザを利用者、利用しようとしているユーザを利用希望者と呼ぶことにする。さらに、撮影した画像上で足の向きを特定し、画像形成装置２００を向いていると判定した場合に、そのユーザは画像形成装置２００の利用者または利用希望者と判定してよい。また、画像形成装置２００の周囲の所定範囲内に居る人を検知し、検知されたた人が画像形成装置２００の利用者あるいは利用希望者であると判定してもよい。あるいは、タッチパネルなどの所定箇所をセンサ１０９として利用し、利用希望者がその所定箇所をタッチすることで、画像形成装置２００の利用希望者がいると判定してもよい。さらにセンサ１０９は画像形成装置２００が備えずに、室内に設定された監視カメラの画像を画像形成装置２００が取得し、その画像から利用者および利用希望者を特定してもよい。また、監視カメラの画像から外部のコンピュータなどが利用希望者を検知し、その結果を画像形成装置２００が取得してもよい。
【００１５】
画面出力機能２０３は、出力部１０４のディスプレイ等にユーザが画像形成装置２００で作業を行うための画面や後述する選択画面を表示する。ユーザ認証機能２０４は、画像形成装置２００のユーザを認証してログインさせたり、ログアウトさせたりする。認証方法は、ＩＤのみまたはＩＤおよびパスワードを入力する方法、カードを媒体とする方法、生体情報を利用する方法等がある。ジョブ管理機能２０５は、画像形成装置１００の利用できる機能であるところのジョブを発行（作成）したり、保留にしたりする。ジョブが保留された場合、ジョブの設定など、そのジョブの再開のために必要なデータ（いわゆるコンテキスト）が保存されてもよい。コンテキストが保存されているジョブについては、コンテキストをリストアすることで、保留時の状態から再開できる。ジョブ開始機能２０６は、ジョブを開始する。ジョブの種類によっては制御部１０８によってプリンタ１１０やスキャナ１１１を使用する。また保留されたジョブを再開する場合には、コンテキストのリストアをジョブの開始に先立って行ってよい。
【００１６】
●画像形成装置１００のスタートボタン処理
本実施形態における処理の流れについて、図３Ａのフローチャートを用いて説明する。
【００１７】
図３Ａは、画像形成装置１００にログインしているユーザ（ログインユーザ）が、画像形成装置１００を利用して作業を行っている状況から開始される。
【００１８】
まず、入力イベント機能２０１は、入力部１０５に配置されたスタートボタンが押され、ジョブの開始が指示されたことを検知する（Ｓ３０１）。押されていない間は押されるまで待つ。その間、ユーザは画像形成装置１００の操作や設定等といった一般的な利用（作業）が可能である。スタートボタンは画像形成装置１００の機能を利用すること（ジョブ）の開始を指示するボタンである。どのようなジョブが実行されるかは作業による。尚、同様の指示が可能であればスタートボタンの形態でなくともよい。ジョブには例えばプリントジョブ、スキャンジョブ、コピージョブ、スキャン後送信ジョブ、スキャン後保存ジョブなどがある。プリンタ１１９、スキャナ１１１、ネットワークインターフェース１０７、補助記憶部１０６などは上述したジョブを実行するためのジョブ実行部であり、これらジョブ実行部を使用して各種ジョブが制御部１０８による制御下で実行される。
【００１９】
スタートボタンが押されたことを検知した場合、ユーザ検知２０２機能は、ログインユーザ以外の別のユーザが検知されているかを判定する（Ｓ３０２）。検知されている場合はＳ３０３へ、検知されていない場合はＳ３０９へ進む。
【００２０】
Ｓ３０２で検知されていると判定した場合は、画面出力機能２０３は、選択画面を表示する（Ｓ３０３）。選択画面について、図４（ａ）を用いて説明する。図４（ａ）は、選択画面の一例である選択画面４００を示した図である。選択画面４００には、ユーザにジョブをいつ実行するかを問う旨のメッセージ４０１と、選択肢４０２とが表示されている。選択肢はユーザが入力部１０５を利用して選択することが可能である。１つ目の選択肢４０２ａは、その選択後にジョブをすぐ実行（より正確に言えば開始）することを表している。２つ目の選択肢４０２ｂは、その選択後にジョブをすぐに実行せず、後で実行、つまり保留することを表している。実行するタイミングはそのジョブのオーナである利用者が決定できる。メッセージと選択肢の文言はこの通りでなくてもよい。選択画面は、画像形成装置１００の出力部１０４を通じてディスプレイ等の全面に表示されても良いし、一部に表示されても良いし、ダイアログとして現在表示されている画面の上の層に表示されてもよい。メッセージと選択肢が別々の場所に表示される形式でも良い。
【００２１】
図３Ａの説明に戻る。入力イベント機能２０１は、選択画面４００のいずれかの選択肢が選択されたことを検知する（Ｓ３０４）。選択されていない間は選択されるまで待つ。Ｓ３０４でジョブをすぐに実行する意図の選択肢（すなわち実行の指示）が選択されたことを検知した場合、ジョブ管理機能２０５はジョブを発行し、ジョブ開始機能２０６はジョブをすぐに開始する（Ｓ３０５）。こうすることによって、ログインユーザ自身の作業を優先したい場合に譲らなくてもよい。その後、ユーザ認証機能２０４は、ログインユーザのログアウト処理を行いログアウトさせて（Ｓ３０６）、図３Ａの処理を終える。ログアウトはジョブの完了をきっかけに行ってよい。
【００２２】
一方、Ｓ３０４で、ジョブを後で実行する意図の選択肢（すなわち保留の指示）が選択されたことを検知した場合、ジョブ管理機能２０５はジョブを発行し、発行したジョブを保留状態にする（Ｓ３０７）。こうすることによって、別のユーザは画像形成装置１００を利用して速やかにジョブを実行できる。前述したように、保留されたジョブについては、ジョブそのものが保存されると共に、その設定等を含むコンテキストも保存される。ジョブの設定とは、具体的には、ユーザがそのジョブを開始する前に入力部１０５で行った操作による設定を含む。たとえば、用紙の種類や給紙トレイの位置、排紙トレイの位置や部数、後処理の指定などを含む。これらの設定はジョブの中でされていることもあるが、例えばユーザの操作を優先させてジョブの設定を上書きしてもよい。このような設定を保存することで再設定を行う必要がなくなる。その後、ユーザ認証機能２０４は、ログインユーザのログアウト処理を行いログアウトさせて（Ｓ３０８）、図３Ａの処理を終える。
【００２３】
Ｓ３０７で保留状態にされたジョブは、Ｓ３０２で検知された別のユーザがログインしてジョブを実行したあと、ログアウトしたあと、ユーザ検知機能２０２に検知されなくなったとき、ジョブを発行したユーザが再度ログインしたとき等に実行される。こうすることによって、譲ったユーザが作業をやり直す必要がない。
【００２４】
一方、Ｓ３０２で別のユーザが検知されていない場合は、ジョブ管理機能２０５はジョブを発行し、ジョブ開始機能２０６はジョブをすぐに開始させて図３Ａの処理を終える（Ｓ３０９）。Ｓ３０９のあとにログインユーザのログアウト処理は行わないので、ログインユーザは引き続き作業を行うことが可能である。
【００２５】
尚Ｓ３０３において、選択画面４００を表示した際に時間制限を設けておき、定められた時間以内に選択が行われなかった場合に、いずれかの選択肢が選ばれたものとして処理を進めてもよい。尚Ｓ３０６において、ログアウト処理を行わなくてもよい。尚この処理によって譲られたユーザが作業を行っている際に、更に別のユーザが検知された場合、ジョブを保留させないようにしてもよい。あるいは、譲られたユーザが作業を行っている際には、さらに別のユーザの検知を行わないようにしてもよい。これにより、画像形成装置１００の利用を譲ったユーザが画像形成装置１００付近に残っていても、そのユーザをさらに別のユーザとして検知することを防止できる。この様な状態を防止することで、２人のユーザによる譲り合いのループを防止できる。尚この処理中の任意のタイミングでログアウトボタン、またはログアウトを指示する入力を入力イベント機能２０１が検知した場合、ログインユーザのログアウト処理を行いログアウトさせる。つまり、ログインユーザは作業中に自発的にログアウト可能である。
【００２６】
●保留ジョブの再開処理
図１１に保留したジョブの再開に係る処理手順の一例を示す。図１１は、ユーザが画像形成装置１００にログインした際に実行される。まずログインユーザのジョブが保留されているか判定する（Ｓ１１０１）。保留されたジョブは、そのコンテキストともに、たとえばユーザＩＤと関連付けて保存されている。保留されたジョブ及びそのコンテキストをまとめてジョブ情報と呼ぶことにする。ステップＳ１１０１では、ログインユーザのＩＤと関連付けられたジョブ情報が保存されているか判定する。保存されていると判定した場合には、保留されたジョブに関する表示を行う（Ｓ１１０２）。保留されたジョブに関する表示にはたとえば、保留されたジョブを特定する情報（たとえばＩＤや名称、主な属性など）と、そのジョブの再開を指示するためのコントロールとを含んでいてよい。そしてその表示に応じて保留されたジョブの再開指示がされたか判定し（Ｓ１１０３）、指示されたなら。ジョブ情報をリストアして実行可能な状態とする（Ｓ１１０４）。この後、スタートボタンが押下されるのを待つ。スタートボタンが押されたなら、図３の手順が実行される。
【００２７】
以上説明した構成上で処理を行うことで、別のユーザに譲ったユーザが作業を再開する場合に煩雑にならない。また、譲られた別のユーザに速やかに画像形成装置の機能を利用させることができる。これによって、ユーザが画像形成装置の利用の順序を他のユーザに譲ることに起因する生産性の低下を防止または改善することができる。
【００２８】
＜実施形態２＞
以下、本発明の第２の実施形態について説明する。第１の実施形態ではスタートボタンが押された際に選択画面を表示したが、本実施形態では別のユーザを検知した際に選択画面を表示する。尚、第１の実施形態と重複する説明は省く。
【００２９】
図２（ｂ）は、本実施形態の画像形成装置の機能構成の一例を示す図である。図１の画像形成装置１００は、図２（ｂ）の画像形成装置２１０に相当する。画像形成装置２１０は、入力イベント機能２０１と、ユーザ検知機能２０２と、画面出力機能２０３と、ユーザ認証機能２０４と、ジョブ管理機能２０５と、ジョブ開始機能２０６とに加えて選択記憶機能２０７の機能群から構成される。選択記憶機能２０７は、入力部１０７を利用して選択画面で選択された内容をＲＡＭ１０３や補助記憶装置１０６に一時的に記憶する。他の機能については画像形成装置２００と同じため説明を省く。
【００３０】
本実施形態における処理の流れについて、図３Ｂのフローチャートを用いて説明する。まず、ユーザ検知機能２０２は、ログインユーザ以外のユーザを検知したかを判定する（Ｓ３１０）。検知した場合はＳ３１１へ分岐し、検知していない場合はスタートボタンが押下されたか判定する（Ｓ３１８）。スタートボタンが押下されない場合には、ユーザを検知するか、あるいはスタートボタンが押下されるまで待つ。なおユーザを検知しておらず、スタートボタンも押されていない間、ログインユーザは画像形成装置１００での作業が可能である。
【００３１】
Ｓ３１０で他のユーザを検知した場合は、画面出力機能２０３は、選択画面を表示する（Ｓ３１１）。選択画面について、図４（ｂ）を用いて説明する。図４（ｂ）は、選択画面の一例である選択画面４１０を示した図である。選択画面４１０には、他のユーザが居る旨のメッセージとジョブをいつ実行するかを問う旨のメッセージと選択肢とが表示されている。選択肢はユーザが入力部１０５を利用して選択することが可能である。１つ目の選択肢はスタートボタンが押された際にジョブをすぐ実行（より正確に言えば開始）することを表している。２つ目の選択肢はスタートボタンが押された際にジョブをすぐに実行せずに後で実行、つまり保留することを表している。メッセージと選択肢の文言はこの通りでなくてもよい。
【００３２】
図３Ｂの説明に戻る。入力イベント機能２０１は、選択画面４１０のいずれかの選択肢が選択されたことを検知する（Ｓ３１２）。選択されていない間は選択されるまで待つ。Ｓ３１２でジョブをすぐに実行する意図の選択肢が選択された場合、選択記憶機能２０７は、その選択を記憶する（Ｓ３１３）。Ｓ３１２でジョブをすぐに実行する意図の選択肢が選択された場合も、選択記憶機能２０７は、その選択を記憶する（Ｓ３１４）。次に、画面出力機能２０３は、作業画面を表示する（Ｓ３１５）。作業画面とは、選択画面を表示する前に表示されていた画面である。選択画面をダイアログとして表示した場合は、ダイアログを閉じる。こうすることによって、ログインユーザは作業を続けられる。次に、入力イベント機能２０１は、スタートボタンが押されたことを検知（あるいは判定）する（Ｓ３１６）。押されていない場合は押されるまで待つ。その間、ログインユーザは作業が可能である。スタートボタンが押された場合、選択記憶機能２０７は、記憶している選択を確認する（Ｓ３１７）。選択記憶機能２０７が記憶したのがジョブをすぐに実行する意図の選択だった場合、ジョブ管理機能２０５はジョブを発行し、ジョブ開始機能２０６はジョブをすぐに開始する（Ｓ３０５）。その後、ユーザ認証機能２０４は、ログインユーザのログアウト処理を行いログアウトさせて（Ｓ３０６）図３Ｂの処理を終える。
【００３３】
選択記憶機能２０７が記憶したのがジョブを後で実行する意図の選択だった場合、ジョブ管理機能２０５はジョブを発行し、ジョブを保留状態にする（Ｓ３０７）。その後、ユーザ認証機能２０４は、ログインユーザのログアウト処理を行いログアウトさせて（Ｓ３０８）図３Ｂの処理を終える。
【００３４】
以上説明した構成上で処理を行うことで、ログインユーザは画像形成装置を使おうと待っているユーザの存在に気付くことができ、その時に譲るかどうかを選ぶことができる。さらにユーザが画像形成装置の利用の順序を他のユーザに譲ることに起因する生産性の低下を防止または改善することができる。
【００３５】
＜実施形態３＞
以下、本発明の第３の実施形態について説明する。第１、第２の実施形態ではジョブをすぐに実行するか後で実行するかの選択画面を表示したが、本実施形態ではその前に別の選択画面も表示する。尚、第１第２の実施形態と重複する説明は省く。本実施形態の画像形成装置は、図２（ｂ）に示した構成を有する。
【００３６】
本実施形態における処理の流れについて、図５Ａのフローチャートを用いて説明する。まず、ユーザ検知機能２０２は、ログインユーザ以外のユーザを検知したかを判定する（Ｓ５０１）。検知した場合はＳ５０２へ、検知していない場合はＳ５２０でスタートボタンが押されたか検知する。押されたならステップＳ５０９へ分岐し、押されていないのなら、他のユーザを検知するか、スタートボタンが押下されるまで待つ。他のユーザの検知もスタートボタンの押下もされていない間、ログインユーザは画像形成装置２１０での作業が可能である。
【００３７】
Ｓ５０１で他のユーザを検知した場合は、画面出力機能２０３は、選択画面を表示する（Ｓ５０２）。ここで表示する選択画面について、図４（ｃ）を用いて説明する。図４（ｃ）は、選択画面の一例である選択画面４２０を示した図である。選択画面４２０には、他のユーザが居る旨のメッセージとログインユーザの判断を求める旨のメッセージと選択肢とが表示されている。選択肢はユーザが入力部１０５を利用して選択することが可能である。
【００３８】
１つ目の選択肢は、ログインユーザがこのあと作業を続けてスタートボタンが押された際にログアウトもすることを表している。２つ目の選択肢は、ログインユーザがこのあと作業を続けてログアウトボタンが押された際にログアウトすることを表している。言い換えれば、後でスタートボタンが押された際にはログアウトせず、他のユーザが居ないときと同じように作業を続行することを表す。３つ目の選択肢は、ログインユーザが直ちにログアウトすることを表している。言い換えれば、他のユーザに直ちに画像形成装置２１０を譲ることを表している。この場合にはログインユーザのジョブは保存されない。なおメッセージと選択肢の文言はこの通りでなくともよい。
【００３９】
図５Ａの説明に戻る。入力イベント機能２０１は、選択画面４２０のいずれかの選択肢が選択されたことを検知する（Ｓ５０３）。選択されていない間は選択されるまで待つ。Ｓ５０３で１つ目の選択肢が選択された場合、画面出力機能２０３は、先ほどとは異なる選択画面を表示する（Ｓ５０４）。ここで表示される選択画面の一例は、図４（ａ）に示される選択画面４００である。すなわち、ログインユーザが、他のユーザがいても作業を続け、スタートボタンが押された際にログアウトすることを選択した場合には、スタートボタンをトリガとしてジョブを実行するか、それとも保留するかをさらに選択できる。
【００４０】
入力イベント機能２０１は、選択画面４００のいずれかの選択肢が選択されたことを検知する（Ｓ３１２）。選択されていない間は選択されるまで待つ。Ｓ３１２でジョブをすぐに実行する意図の選択肢が選択された場合、選択記憶機能２０７は、その選択を記憶する（Ｓ３１３）。Ｓ３１２でジョブをすぐに実行する意図の選択肢が選択された場合も、選択記憶機能２０７は、その選択を記憶する（Ｓ３１４）。いずれの場合もＳ３１５に進む。
【００４１】
Ｓ５０３で２つ目の選択肢が選択された場合、すなわち他のユーザが居ないときと同じようにログアウトが指示されるまで作業を続けることが選択されると、選択記憶機能２０７は、その選択を記憶し（Ｓ５０５）、Ｓ３１５に進む。
【００４２】
一方Ｓ５０３で３つ目の選択肢が選択された場合、すなわち直ちにログアウトして他のユーザに画像形成装置２１０を譲ることが選択された場合、ユーザ認証機能２０４は、ログインユーザのログアウト処理を行いログアウトさせて（Ｓ５０６）、図５Ａの処理を終える。
【００４３】
Ｓ３１３、Ｓ３１４、Ｓ５０５の後、画面出力機能２０３は、作業画面を表示する（Ｓ３１５）。入力イベント機能２０１は、スタートボタンが押されたことを検知する（Ｓ５０７）。押されていない場合は押されるまで待つ。その間、ログインユーザは作業が可能である。スタートボタンが押された場合、選択記憶機能２０７は、記憶している選択を確認する（Ｓ５０８）。
【００４４】
選択記憶機能２０７が記憶した選択が、スタートボタン後にジョブをすぐに実行してログアウトする意図の選択だった場合、ジョブ管理機能２０５はジョブを発行し、ジョブ開始機能２０６はジョブをすぐに開始する（Ｓ５１４）。その後、ユーザ認証機能２０４は、ログインユーザのログアウト処理を行いログアウトさせて（Ｓ５１５）、図５Ａの処理を終える。
【００４５】
選択記憶機能２０７が記憶した選択がジョブを後で実行（すなわち保留）する意図の選択だった場合、ジョブ管理機能２０５はジョブを発行し、ジョブを保留状態にする（Ｓ３０７）。その後、ユーザ認証機能２０４は、ログインユーザのログアウト処理を行いログアウトさせて（Ｓ３０８）、図５Ａの処理を終える。
【００４６】
選択記憶機能２０７が記憶した選択が、ログアウトボタンが押された際にログアウトする意図の選択だった場合、ジョブ管理機能２０５はジョブを発行し、ジョブ開始機能２０６はジョブをすぐに開始させて（Ｓ５０９）、図５Ａの処理を終える。この場合、ログインユーザはログアウトしていないので引き続き画像形成装置２１０での作業を行うことができる。
【００４７】
以上説明した構成上で処理を行うことで、画像形成装置を使おうと待っているユーザが居る場合に、ログインユーザは直ちに譲ったり作業が全て終わるまで譲らなかったりという選択も出来るため、更に利便性が高くなる。さらに、実施形態１，２に係る効果も奏する。すなわちユーザが画像形成装置の利用の順序を他のユーザに譲ることに起因する生産性の低下を防止または改善することができる。
【００４８】
＜実施形態４＞
以下、本発明の第４の実施形態について説明する。第３の実施形態では２つの選択画面を連続して表示したが、本実施形態ではスタートボタンが押されてから選択画面も表示する。尚、第１から第３の実施形態と重複する説明は省く。
【００４９】
本実施形態における処理の流れについて、図５Ｂのフローチャートを用いて説明する。Ｓ５０１からＳ５０３までの流れは図５Ａと同じため、説明を省く。Ｓ５０３で１つ目の選択肢が選択された場合、選択記憶機能２０７は、その選択を記憶し（Ｓ５１０）、Ｓ３１５に進む。Ｓ５０３で２つ目の選択肢が選択された場合も、選択記憶機能２０７は、その選択を記憶し（Ｓ５１１）、Ｓ３１５に進む。一方Ｓ５０３で３つ目の選択肢が選択された場合、ユーザ認証機能２０４は、ログインユーザのログアウト処理を行いログアウトさせて（Ｓ５０６）図５（ｂ）の処理を終える。
【００５０】
Ｓ５１０、Ｓ５１１の後、画面出力機能２０３は、作業画面を表示する（Ｓ３１５）。入力イベント機能２０１は、スタートボタンが押されたことを検知する（Ｓ５０７）。押されていない場合は押されるまで待つ。その間、ログインユーザは作業が可能である。スタートボタンが押された場合、選択記憶機能２０７は、記憶している選択を確認する（Ｓ５１２）。
【００５１】
選択記憶機能２０７が記憶したのが、スタートボタンが押された際にログアウトする意図の選択だった場合、画面出力機能２０３は、先ほどとは異なる選択画面を表示する（Ｓ５１３）。ここで表示される選択画面の一例は、図４（ａ）に示される選択画面４００である。Ｓ５１６で入力された選択を判定し、ジョブをすぐに実行する意図の選択がされた場合、ジョブ管理機能２０５はジョブを発行し、ジョブ開始機能２０６はジョブをすぐに開始する（Ｓ５１４）。その後、ユーザ認証機能２０４は、ログインユーザのログアウト処理を行いログアウトさせて（Ｓ５１５）、図５Ｂの処理を終える。
【００５２】
Ｓ５１６でジョブを後で実行する意図の選択がされた場合、ジョブ管理機能２０５はジョブを発行し、ジョブを保留状態にする（Ｓ３０７）。その後、ユーザ認証機能２０４は、ログインユーザのログアウト処理を行いログアウトさせて（Ｓ３０８）、図５Ｂの処理を終える。
【００５３】
一方、選択記憶機能２０７が記憶したのが、ログアウトボタンが押された際にログアウトする意図の選択だった場合、ジョブ管理機能２０５はジョブを発行し、ジョブ開始機能２０６はジョブをすぐに開始させて（Ｓ５０９）、図５Ｂの処理を終える。
【００５４】
尚Ｓ５１３で選択画面を表示する前に、ユーザ検知機能２０２は、ログインユーザ以外のユーザが検知されているかを確認し、ログインユーザ以外のユーザが検知されなくなっている場合は、Ｓ５１３とＳ５１６を飛ばしてＳ５１４に進んでもよい。
【００５５】
以上説明した構成上で処理を行うことで、ログインユーザは、画像形成装置を使おうと待っているユーザが居ることを把握しつつ、作業を終えてジョブを開始する際にジョブを後回しにするか判断できるため、更に利便性が高くなる。さらに、実施形態１，２に係る効果も奏する。すなわちユーザが画像形成装置の利用の順序を他のユーザに譲ることに起因する生産性の低下を防止または改善することができる。
【００５６】
＜実施形態５＞
以下、本発明の第５の実施形態について説明する。第３の実施形態では２つの選択画面を連続して表示したが、本実施形態では４つの選択肢のある選択画面を表示する。尚、第１から第４の実施形態と重複する説明は省く。
【００５７】
本実施形態における処理の流れについて、図６のフローチャートを用いて説明する。まず、ユーザ検知機能２０２は、ログインユーザ以外のユーザを検知したかを判定する（Ｓ５０１）。検知した場合はＳ６０１へ、検知していない場合は検知するまで待つ。検知していない間、ログインユーザは画像形成装置２１０での作業が可能である。
【００５８】
Ｓ５０１で検知した場合は、画面出力機能２０３は、選択画面を表示する（Ｓ６０１）。ここで表示する選択画面について、図４（ｄ）を用いて説明する。図４（ｄ）は、選択画面の一例である選択画面４３０を示した図である。選択画面４３０には、他のユーザが待っている旨のメッセージと選択肢とが表示されている。選択肢はユーザが入力部１０５を利用して選択することが可能である。
【００５９】
１つ目の選択肢は、ログインユーザがこのあと作業を続けてスタートボタンが押された際にジョブをすぐに開始してログアウトもすることを表している。２つ目の選択肢は、ログインユーザがこのあと作業を続けてスタートボタンが押された際にジョブをすぐに開始せず保留にしてログアウトすることを表している。３つ目の選択肢は、ログインユーザがこのあと作業を続けてログアウトボタンが押された際にログアウトすることを表している。４つ目の選択肢は、ログインユーザが直ちにログアウトすることを表している。これら４つの選択肢は、実施形態３，４において２つの選択画面に分けて表示した選択肢を、一つの選択画面にまとめて表示したものといえる。メッセージと選択肢の文言はこの通りでなくともよい。
【００６０】
図６の説明に戻る。入力イベント機能６０２は、選択画面４３０のいずれかの選択肢が選択されたことを検知する（Ｓ６０２）。選択されていない間は選択されるまで待つ。Ｓ６０２で１つ目の選択肢が選択された場合、選択記憶機能２０７は、その選択を記憶する（Ｓ６０３）。そしてＳ３１５に進む。Ｓ６０２で２つ目の選択肢が選択された場合も、選択記憶機能２０７は、その選択を記憶する（Ｓ６０４）。そしてＳ３１５に進む。Ｓ６０２で３つ目の選択肢が選択された場合も、選択記憶機能２０７は、その選択を記憶する（Ｓ５０５）。そしてＳ３１５に進む。一方、Ｓ６０２で４つ目の選択肢が選択された場合、ユーザ認証機能２０４は、ログインユーザのログアウト処理を行いログアウトさせて（Ｓ５０６）、図６の処理を終える。
【００６１】
Ｓ６０３、Ｓ６０４、Ｓ５０５の後、画面出力機能２０３は、作業画面を表示する（Ｓ３１５）。入力イベント機能２０１は、スタートボタンが押されたことを検知する（Ｓ５０７）。押されていない場合は押されるまで待つ。その間、ログインユーザは作業が可能である。スタートボタンが押された場合、選択記憶機能２０７は、記憶している選択を確認する（Ｓ６０５）。
【００６２】
選択記憶機能２０７が記憶したのがジョブをすぐに開始してログアウトする意図の選択だった場合、ジョブ管理機能２０５はジョブを発行し、ジョブ開始機能２０６はジョブをすぐに開始する（Ｓ５１４）。その後、ユーザ認証機能２０４は、ログインユーザのログアウト処理を行いログアウトさせて（Ｓ５１５）、図６の処理を終える。
【００６３】
選択記憶機能２０７が記憶したのがジョブを保留してログアウトする意図の選択だった場合、ジョブ管理機能２０５はジョブを発行し、ジョブを保留状態にする（Ｓ３０７）。その後、ユーザ認証機能２０４は、ログインユーザのログアウト処理を行いログアウトさせて（Ｓ３０８）、図６の処理を終える。
【００６４】
選択記憶機能２０７が記憶したのが、ログアウトボタンが押された際にログアウトする意図の選択だった場合、ジョブ管理機能２０５はジョブを発行し、ジョブ開始機能２０６はジョブをすぐに開始させて（Ｓ５０９）、図６の処理を終える。
【００６５】
以上説明した構成上で処理を行うことで、ログインユーザは１つの選択画面で作業とジョブの扱いを選択できるので、更に利便性が高くなる。
【００６６】
＜実施形態６＞
以下、本発明の第６の実施形態について説明する。第１乃至第５の実施形態ではジョブを後で実行するように選択した場合にジョブを保留するが、本実施形態ではそのような場合でも後にできないジョブ工程は先に実行する。尚、第２の実施形態と重複する説明は省く。まず、ジョブ工程について説明する。表Ａは、ジョブとそのジョブを構成するジョブ工程の一例を表している。
【００６７】
［表Ａ］
ジョブ            ｜    ジョブ工程                                
コピージョブ      ｜スキャン工程、プリント工程
プリントジョブ    ｜プリント工程
ＦＡＸ送信ジョブ  ｜スキャン工程、ファクシミリ送信工程
スキャン送信ジョブ｜スキャン工程、ＰＤＦ化工程、メール送信工程
表Ａによれば、たとえば紙文書のコピーを行うジョブであるコピージョブは、紙を読み込むスキャン工程と、スキャンした内容を紙に印刷し前記紙を排出するプリント工程の２つのジョブ工程から成る。また表Ｂは、あるジョブ工程が後回し（保留）可能かどうかの一例を表している。
【００６８】
［表Ｂ］
ジョブ工程        ｜後回し可能か    
スキャン工程      ｜不可
プリント工程      ｜可
ＦＡＸ送信工程    ｜可
メール送信工程    ｜可
表Ｂによれば、スキャン工程は後回しにできないジョブ工程であり、プリント工程は後回しにできるジョブ工程である。スキャン工程が後回しにできないのは、ユーザが取り込む紙を画像形成装置２１０に物理的にセットする必要があるためである。表Ｂは一例であるため、画像形成装置２１０の設定などにより特定のジョブ工程が後回しできるかの判定が異なってもよい。例えば、機密情報をプリントする場合はプリント工程を後回しできない工程としてもよい。またたとえば挿入シートを利用するプリント工程は後回し不可としてもよい。
【００６９】
本実施形態における処理の流れについて、図７のフローチャートを用いて説明する。
【００７０】
Ｓ３１０からＳ３１９までの処理の流れは図３Ｂと同じため、説明を省く。
【００７１】
ステップＳ３１７において、選択記憶機能２０７が記憶したのがジョブをすぐに実行する意図の選択だと判定した場合、ジョブ管理機能２０５はジョブを発行し、ジョブ開始機能２０６はジョブをすぐに開始する（Ｓ３０５）。その後、ユーザ認証機能２０４は、ログインユーザのログアウト処理を行いログアウトさせて（Ｓ３０６）、図７の処理を終える。
【００７２】
一方ステップＳ３１７において、選択記憶機能２０７が記憶したのがジョブを後で実行する意図の選択だと判定した場合、ジョブ管理機能２０５は、発行するジョブの全てのジョブ工程が後回し可能かを判定する（Ｓ７０１）。全ジョブ工程を後回し可能な場合はＳ３０７へ、後回しできないジョブ工程が含まれている場合はＳ７０２へ進む。
【００７３】
Ｓ７０１で、全ジョブ工程が後回し可能だった場合、ジョブ管理機能２０５はジョブを発行し、ジョブを保留状態にする（Ｓ３０７）。その後、ユーザ認証機能２０４は、ログインユーザのログアウト処理を行いログアウトさせて（Ｓ３０８）、図７の処理を終える。
【００７４】
Ｓ７０１で、後回しにできないジョブ工程が含まれていた場合、ジョブ管理機能２０５は後回しにできないジョブ工程までを一つのジョブとして発行し、ジョブ開始機能２０６はそのジョブを開始する（Ｓ７０２）。その後、ジョブ管理機能２０５は残りのジョブ工程を発行し、そのジョブを保留状態にする（Ｓ７０３）。そしてＳ３０８へ進む。
【００７５】
例えば、発行されるのがコピージョブである場合、Ｓ７０２でスキャン工程までを実行し、プリント工程を保留にする。ここで、ステップＳ７０２で実行されるジョブの出力は、Ｓ７０３で実行されるジョブの入力となる。そこで、たとえばステップＳ７０３では、ステップＳ７０２におけるジョブの終了を待ち、その出力データをステップＳ７０３で保留するジョブの入力データとして、ジョブ情報とともに（あるいはその一部として）保存する。保留したジョブの実行時には、入力データがジョブとともに保存されていればその入力データを、ジョブを実行して処理する。
【００７６】
以上説明した構成上で処理を行うことで、ログインユーザは後回しにできないジョブ工程を先に実施してから残りのジョブ工程を後回しにできるため、保留にしていたジョブを開始するときにユーザが不在のためにジョブを実行できないといった問題を回避できる。尚、本実施形態は第２の実施形態に近い形で説明したが、他の実施形態にも適用可能である。
【００７７】
＜実施形態７＞
以下、本発明の第７の実施形態について説明する。第１の実施形態ではスタートボタンが押された際に必ず選択画面を表示するが、本実施形態では後回しにできないジョブ工程がある場合には選択画面を表示しない。以下の説明では、第１、第６の実施形態と重複する説明は省く。
【００７８】
本実施形態における処理の流れについて、図８のフローチャートを用いて説明する。Ｓ３０１からＳ３０２までの処理の流れは図３Ａと同じため、説明を省く。
【００７９】
Ｓ３０２で他のユーザが検知されている場合は、ジョブ管理機能２０５は、発行するジョブの全てのジョブ工程が後回し可能かを判定する（Ｓ８０１）。全て後回し可能な場合はＳ３０３へ、後回しできない工程が含まれている場合はＳ３０５へ進む。即ちＳ３０３とＳ３０４はスキップされる。Ｓ３０３からＳ３０９までの処理の流れは図３Ａと同じため、説明を省く。
【００８０】
以上説明した構成上で処理を行うことで、ログインユーザが実行しようとしたのが後回しにできないジョブの場合は選択画面を表示せずにすぐに実行されるため、更に利便性が高くなる。後回しできるジョブについては、実施形態１と同様に処理されるので、実施形態１と同様の効果を奏する。尚、本実施形態は第１の実施形態に近い形で説明したが、他の実施形態にも適用可能である。
【００８１】
＜実施形態８＞
以下、本発明の第８の実施形態について説明する。第４の実施形態などでは、ユーザが検知された際に必ず選択画面を表示するが、本実施形態では作業状況によっては表示しない。尚、第１から第７の実施形態と重複する説明は省く。
【００８２】
図９は、本実施形態の画像形成装置の機能構成の一例を示す図である。図１の画像形成装置１００は、図９の画像形成装置９００に相当する。画像形成装置９００は、入力イベント機能２０１と、ユーザ検知機能２０２と、画面出力機能２０３と、ユーザ認証機能２０４と、ジョブ管理機能２０５と、ジョブ開始機能２０６と、選択記憶機能２０７と、設定管理機能９０１と紙検知機能９０２を有する。
【００８３】
設定管理機能９０１は、入力部１０７を利用してジョブを発行するための設定が行われているかを判定する。紙検知機能９０２は、制御部１０８を通じてプリンタ１１０の手差しトレイに紙が置かれているかや、スキャナ１１１の原稿台に紙が置かれているかなどを検知する。他の機能については画像形成装置２１０と同じため説明を省く。
【００８４】
本実施形態における処理の流れについて、図１０のフローチャートを用いて説明する。まず、ユーザ検知機能２０２は、ログインユーザ以外のユーザを検知したかを判定する（Ｓ５０１）。検知した場合はＳ５０２へ、検知していない場合は検知するまで待つ。検知していない間、ログインユーザは画像形成装置２１０での作業が可能である。
【００８５】
Ｓ５０１で検知した場合は、紙検知機能９０２は、プリンタ１１０の手差しトレイや、スキャナ１１１の原稿台に紙が置かれているかを判定する（Ｓ１００１）。すなわちジョブが、中断が困難な工程を含むか判定する。紙が在る場合はＳ１００３へ進む。紙が無い場合はＳ１００２へ進む。Ｓ１００１で紙が無かった場合、設定管理機能９０１は、ジョブを発行するための設定作業中であるかを判定する（Ｓ１００２）。具体的には、例えばコピーを行う場合に、コピージョブの設定を行う画面で枚数の設定や印刷色の設定を行っていればｙｅｓである。設定が行われている場合はＳ１００３へ、設定が行われていない場合はＳ５０２へ進む。Ｓ５０２以降の処理については図５Ｂと重複するため説明を省く。
【００８６】
Ｓ１００１で紙がある場合や、Ｓ１００２で設定が行われている場合は、入力イベント機能２０１は、スタートボタンが押されたことを検知する（Ｓ１００３）。押されていない場合はＳ５０１に戻る。つまり、ユーザ検知機能２０２がユーザを検知している間に、紙を検知しなくなったり設定作業が中断されたりした場合には、スタートボタンが押されるまでにＳ５０２の方に進むことがある。Ｓ１００３でスタートボタンが押された場合、Ｓ５１３以降の処理を行う。Ｓ５１３以降の処理については図５Ｂと重複するため説明を省く。尚Ｓ１００１とＳ１００２は、逆の順番で判定してもよい。またステップＳ１００１とステップＳ１００２のいずれか一方の判定のみであってもよい。この場合にはこれらの判定結果が肯定的であればＳ１００３に分岐し、否定的であればＳ５０２に分岐する。
【００８７】
以上説明した構成上で処理を行うことで、ログインユーザが中断しづらい操作を行っていると予想される場合に、例えば図４（ｃ）のような、直ちにログアウトするという選択肢を含む選択画面を出さないので、煩雑さを低減できる。尚、本実施形態は第４の実施形態に近い形で説明したが、他のユーザを検知した際に選択画面を表示する実施形態にも適用可能である。また、ステップＳ１００３でスタートボタンが押されたと判定した場合に、図８のステップＳ８０１に分岐することで、留保可能な工程が含まれる場合には、さらに別の選択画面の表示を抑制してジョブを実行することもできる。これにより一層操作性を高めることができる。
【００８８】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８９】
２０１  入力イベント機能、２０２  ユーザ検知機能、２０３  画面出力機能、２０４  ユーザ認証機能、２０５  ジョブ管理機能、２０６  ジョブ開始機能
【図１】
2019126918.tif 000003
【図２】
2019126918.tif 000004
【図３Ａ】
2019126918.tif 000005
【図３Ｂ】
2019126918.tif 000006
【図４】
2019126918.tif 000007
【図５Ａ】
2019126918.tif 000008
【図５Ｂ】
2019126918.tif 000009
【図６】
2019126918.tif 000010
【図７】
2019126918.tif 000011
【図８】
2019126918.tif 000012
【図９】
2019126918.tif 000013
【図１０】
2019126918.tif 000014
【図１１】
2019126918.tif 000015